(57)【要約】【課題】低コスト化および小型化を図る上で有利となり、配線パターンを簡素化し生産性を向上させる上で有利となる光ピックアップおよび光ディスク装置を提供する。【解決手段】受光手段の受光面２８は単一の受光面で構成され、受光面２８は遮光帯３２、３４によって仕切られた複数の分割受光面で構成されている。検出用光ビームにより受光面２８上に形成される光スポットの中心位置が受光面２８の中心位置と一致したときに、前記各分割受光面で受けた前記検出用光ビームに基づく前記パワーモニター用信号の和が極小となるように構成されている。【選択図】      図４
2005032334.tif 000002
【特許請求の範囲】
【請求項１】
光ビームを出射する光源と、
前記光源から出射された光ビームを光ディスクに導くとともに、その光ディスクでの反射光ビームを光検出手段に導く光学系と、
前記光源から出射された光ビームの一部を検出用光ビームとして受光することにより前記光源のパワーモニター用信号を出力する受光手段とを備えた光ピックアップにおいて、
前記受光手段の受光面を、互いに仕切られた複数の分割受光面で構成し、
前記検出用光ビームにより前記受光面上に形成される光スポットの中心位置が前記受光面の中心位置と一致したときに、前記各分割受光面で受けた前記検出用光ビームに基づく前記パワーモニター用信号の和が極小または極大となるように構成されている、
ことを特徴とする光ピックアップ。
【請求項２】
前記受光面は単一の受光面で構成され、前記複数の分割受光面は前記受光面上に遮光領域を形成することによって仕切られていることを特徴とする請求項１記載のピックアップ。
【請求項３】
前記遮光領域は、前記受光面上を帯状に延在し前記受光面の中心位置で交差する２つの遮光帯で構成されていることを特徴とする請求項２記載のピックアップ。
【請求項４】
前記遮光領域は、前記受光面上を格子状に延在する複数の遮光帯で構成され、前記遮光帯によって仕切られた複数の分割受光面は、前記受光面の中心位置に位置する分割受光面の面積が最大となり、該中心位置から離れるほど分割受光面の面積が次第に小さくなるように構成されていることを特徴とする請求項２記載のピックアップ。
【請求項５】
前記遮光領域は、前記受光面の中心位置を中心として延在する同心円状に延在する複数の環状の遮光帯によって構成され、隣り合う遮光帯間における径方向の間隔は遮光帯の径が大きくなるにつれて次第に狭くなるように構成されていることを特徴とする請求項２記載のピックアップ。
【請求項６】
光ビームを出射する光源と、
前記光源から出射された光ビームを光ディスクに導くとともに、その光ディスクでの反射光ビームを光検出手段に導く光学系と、
前記光源から出射された光ビームの一部を検出用光ビームとして受光することにより前記光源のパワーモニター用信号を出力する受光手段とを備えた光ピックアップにおいて、
前記受光手段の受光面を単一の受光面で構成し、
前記受光面上に所定形状の遮光領域を設けることにより、前記検出用光ビームにより前記受光面上に形成される光スポットの中心位置が前記受光面の中心位置と一致したときに、前記受光面で受けた前記検出用光ビームに基づく前記パワーモニター用信号が極小または極大となるように構成されている、
ことを特徴とする光ピックアップ。
【請求項７】
光ディスクを保持して回転駆動する駆動手段と、
前記駆動手段によって回転駆動する光ディスクに対し、光ビームを照射し光ディスクからの反射光ビームを検出する光ピックアップと、
前記光ピックアップからの検出信号に基づいて再生信号を生成する再生信号処理回路とを有し、
前記光ピックアップは、
前記光ビームを出射する光源と、
前記光源から出射された光ビームを光ディスクに導くとともに、その光ディスクでの反射光ビームを光検出手段に導く光学系と、
前記光源から出射された光ビームの一部を検出用光ビームとして受光することにより前記光源のパワーモニター用信号を出力する受光手段とを備えた光ディスク装置において、
前記受光手段の受光面を、互いに仕切られた複数の分割受光面で構成し、
前記検出用光ビームにより前記受光面上に形成される光スポットの中心位置が前記受光面の中心位置と一致したときに、前記各分割受光面で受けた前記検出用光ビームに基づく前記パワーモニター用信号の和が極小または極大となるように構成されている、
ことを特徴とする光ディスク装置。
【請求項８】
前記受光面は単一の受光面で構成され、前記複数の分割受光面は前記受光面上に遮光領域を形成することによって仕切られていることを特徴とする請求項７記載の光ディスク装置。
【請求項９】
前記遮光領域は、前記受光面上を帯状に延在し前記受光面の中心位置で交差する２つの遮光帯で構成されていることを特徴とする請求項７記載の光ディスク装置。
【請求項１０】
前記遮光領域は、前記受光面上を格子状に延在する複数の遮光帯で構成され、前記遮光帯によって仕切られた複数の分割受光面は、前記受光面の中心位置に位置する分割受光面の面積が最大となり、該中心位置から離れるほど分割受光面の面積が次第に小さくなるように構成されていることを特徴とする請求項７記載の光ディスク装置。
【請求項１１】
前記遮光領域は、前記受光面の中心位置を中心として延在する同心円状に延在する複数の環状の遮光帯によって構成され、隣り合う遮光帯間における径方向の間隔は遮光帯の径が大きくなるにつれて次第に狭くなるように構成されていることを特徴とする請求項７記載の光ディスク装置。
【請求項１２】
光ディスクを保持して回転駆動する駆動手段と、
前記駆動手段によって回転駆動する光ディスクに対し、光ビームを照射し光ディスクからの反射光ビームを検出する光ピックアップと、
前記光ピックアップからの検出信号に基づいて再生信号を生成する再生信号処理回路とを有し、
前記光ピックアップは、
前記光ビームを出射する光源と、
前記光源から出射された光ビームを光ディスクに導くとともに、その光ディスクでの反射光ビームを光検出手段に導く光学系と、
前記光源から出射された光ビームの一部を検出用光ビームとして受光することにより前記光源のパワーモニター用信号を出力する受光手段とを備えた光ディスク装置において、
前記受光手段の受光面を単一の受光面で構成し、
前記受光面上に所定形状の遮光領域を設けることにより、前記検出用光ビームにより前記受光面上に形成される光スポットの中心位置が前記受光面の中心位置と一致したときに、前記受光面で受けた前記検出用光ビームに基づく前記パワーモニター用信号が極小または極大となるように構成されている、
ことを特徴とする光ディスク装置。
【発明の詳細な説明】
【０００１】
【発明の属する技術分野】
本発明は、光ピックアップおよび光ディスク装置に関する。
【０００２】
【従来の技術】
従来、光源モニタ用受光器の受光面を上側の領域と下側の領域に分割するとともに各領域を３つに分割し、これにより上側の３つの受光素子Ａ１、Ｂ１、Ｃ１と下側の３つの受光素子Ａ２、Ｂ２、Ｃ２を構成し、かつ受光素子Ａ１、Ｂ１、Ｃ１の出力を各々ａ１、ｂ１、ｃ１とし、受光素子Ａ２、Ｂ２、Ｃ２の出力を各々ａ２、ｂ２、ｃ２とし、下記の数式１を満たすことで受光面の中心位置に照射光が受光されたことを検出するという光ディスク装置が提案されている（例えば特許文献１参照）。
【０００３】
［数式１］
ｂ２＝ａ１＋ｃ１          …▲１▼
ｂ１＝ａ２＋ｃ２          …▲２▼
ＥＸ＝ｃ１−ａ１＝０      …▲３▼
ＥＹ＝ａ１＋ｃ１−ｂ２＝０…▲４▼
【０００４】
ここにＥＸは光源モニタ用受光器のＸ軸方向のアラインメントに使用する制御信号、ＥＹは光源モニタ用受光器のＹ軸方向のアラインメントに使用する制御信号である。
【０００５】
このように従来の光ディスク装置は、上記演算を行う演算器等が必要となるため、光ディスク装置として高価になる欠点がある。
【０００６】
また、他の従来例として、図１５に示すように、光ディスク等への情報の記録を可能にする光ピックアップにおいて、光ディスクから読み取ったレーザ光の読み取り信号検出用のフォトディテクタ（受光素子：ＰＤＩＣ）をその中心点を境にＸ軸方向およびＹ軸方向に等分に４分割し、各々の受光領域を各々α、β、γ、δとするとともに、各々の出力をα１、β１、γ１、δ１とし、このフォトディテクタにレーザ光を受光させた場合、下記の数式２を満たすことでフォトディテクタの中心位置での受光を検出するという位置決めの手法を採用したものがある。
【０００７】
［数式２］
ＦＸ＝（α１＋γ１）−（β１＋δ１）＝０…▲５▼
ＦＹ＝（γ１＋δ１）−（α１＋β１）＝０…▲６▼
【０００８】
ここにＦＸはフォトディテクタのＸ軸方向の位置を示すＸ信号の値であり、ＦＹはフォトディテクタのＹ軸方向の位置を示すＹ信号の値である。
このフォトディテクタの場合、図１６に示すように、フォトディテクタの受光面に横に平行に▲１▼▲２▼▲３▼の位置の順にレーザ光を受光させた場合、Ｘ信号は▲１▼の位置で最も高い出力となり、▲２▼の位置で中心位置を示す出力となり、▲３▼の位置で最も低い例えば負の出力となる。
また、Ｙ信号も図示しないが上述と同じように縦に平行に▲１▼▲２▼▲３▼の順にレーザ光を受光させた場合、図１６に示した軌跡に等しい軌跡の出力が得られるため、中心位置での受光を知ることができる。すなわちＸ信号およびＹ信号がともに出力例えばゼロであれば完全な中心位置を示したことになる。
【０００９】
しかしながら、この光ピックアップにおいても、数式２に示した演算を行う必要があるため、やはり演算器等が必要であり高価になる構成である。
【００１０】
一方、例えば光ディスク等への情報の記録を可能にする光ピックアップにおいて、レーザ光源からのレーザ光のパワーをモニタし、レーザ出力のパワー制御を行うために使用するフォトディテクタは受光面が一般的に上述のように分割されていないため、受光面の中心位置へのレーザ光の位置決めを行うことができず、したがって受光面に入射する光量のばらつきが多くなってしまうのが現状である。
このため、光量のばらつきを是正するために光ピックアップ内の基板に調整用ボリュームを付加して電気的に出力を調整する等の対策が必要であった。
【００１１】
【特許文献１】
特開２００２−３５２４６０号公報
【００１２】
【発明が解決しようとする課題】
従来、レーザ光源からのレーザ光のパワーをモニタし、レーザ出力のパワー制御を行うためのフォトディテクタにおいては、一般に受光面が分割されておらず、このため光量のばらつきを是正するために光ピックアップ内の基板に調整用ボリュームを付加して出力を調整する必要があり、したがって調整用ボリュームを備える分、高価になるとともに、基板上のパターンが複雑になって使用面積も大きくなり、小型化を図る上でも不利であった。
【００１３】
本発明は、以上のような課題に鑑みてなされたものであり、低コスト化および小型化を図る上で有利であり、かつ、配線パターンを簡素化し生産性を向上させる上で有利な光ピックアップおよび光ディスク装置を提供することを目的とする。
【００１４】
【課題を解決するための手段】
本発明に係わる光ディスク装置は、上述した課題を解決すべく、光ビームを出射する光源と、前記光源から出射された光ビームを光ディスクに導くとともに、その光ディスクでの反射光ビームを光検出手段に導く光学系と、前記光源から出射された光ビームの一部を検出用光ビームとして受光することにより前記光源のパワーモニター用信号を出力する受光手段とを備えた光ピックアップにおいて、前記受光手段の受光面を、互いに仕切られた複数の分割受光面で構成し、前記検出用光ビームにより前記受光面上に形成される光スポットの中心位置が前記受光面の中心位置と一致したときに、前記各分割受光面で受けた前記検出用光ビームに基づく前記パワーモニター用信号の和が極小または極大となるように構成されていることを特徴とする。
また、本発明に係る光ディスク装置は、光ディスクを保持して回転駆動する駆動手段と、前記駆動手段によって回転駆動する光ディスクに対し、光ビームを照射し光ディスクからの反射光ビームを検出する光ピックアップと、前記光ピックアップからの検出信号に基づいて再生信号を生成する再生信号処理回路とを有し、前記光ピックアップは、前記光ビームを出射する光源と、前記光源から出射された光ビームを光ディスクに導くとともに、その光ディスクでの反射光ビームを光検出手段に導く光学系と、前記光源から出射された光ビームの一部を検出用光ビームとして受光することにより前記光源のパワーモニター用信号を出力する受光手段とを備えた光ディスク装置において、前記受光手段の受光面を、互いに仕切られた複数の分割受光面で構成し、前記検出用光ビームにより前記受光面上に形成される光スポットの中心位置が前記受光面の中心位置と一致したときに、前記各分割受光面で受けた前記検出用光ビームに基づく前記パワーモニター用信号の和が極小または極大となるように構成されていることを特徴とする。
そのため、各分割受光面で受けた検出用光ビームに基づくパワーモニター用信号の和が極小または極大となるように受光手段の位置決めを行なうことにより、検出用光ビームにより受光面上に形成される光スポットの中心位置を受光面の中心位置と一致させることができる。
【００１５】
また、本発明に係わる光ピックアップは、光ビームを出射する光源と、前記光源から出射された光ビームを光ディスクに導くとともに、その光ディスクでの反射光ビームを光検出手段に導く光学系と、前記光源から出射された光ビームの一部を検出用光ビームとして受光することにより前記光源のパワーモニター用信号を出力する受光手段とを備えた光ピックアップにおいて、前記受光手段の受光面を単一の受光面で構成し、前記受光面上に所定形状の遮光領域を設けることにより、前記検出用光ビームにより前記受光面上に形成される光スポットの中心位置が前記受光面の中心位置と一致したときに、前記受光面で受けた前記検出用光ビームに基づく前記パワーモニター用信号が極小または極大となるように構成されていることを特徴とする。
また、本発明に係る光ディスク装置は、光ディスクを保持して回転駆動する駆動手段と、前記駆動手段によって回転駆動する光ディスクに対し、光ビームを照射し光ディスクからの反射光ビームを検出する光ピックアップと、前記光ピックアップからの検出信号に基づいて再生信号を生成する再生信号処理回路とを有し、前記光ピックアップは、前記光ビームを出射する光源と、前記光源から出射された光ビームを光ディスクに導くとともに、その光ディスクでの反射光ビームを光検出手段に導く光学系と、前記光源から出射された光ビームの一部を検出用光ビームとして受光することにより前記光源のパワーモニター用信号を出力する受光手段とを備えた光ディスク装置において、前記受光手段の受光面を単一の受光面で構成し、前記受光面上に所定形状の遮光領域を設けることにより、前記検出用光ビームにより前記受光面上に形成される光スポットの中心位置が前記受光面の中心位置と一致したときに、前記受光面で受けた前記検出用光ビームに基づく前記パワーモニター用信号が極小または極大となるように構成されていることを特徴とする。
そのため、受光面で受けた検出用光ビームに基づくパワーモニター用信号の和が極小または極大となるように受光手段の位置決めを行なうことにより、検出用光ビームにより受光面上に形成される光スポットの中心位置を受光面の中心位置と一致させることができる。
【００１６】
【発明の実施の形態】
以下、図１乃至図７を参照し本発明の第１の実施の形態について説明する。
図１は本発明の第１の実施の形態に係わる光ディスク装置（もしくは光ピックアップ）の主要部の構成を説明する説明図である。
図１に示すように、本実施の形態の光ディスク装置１０は、レーザダイオード等の光源１２と、光源１２からのレーザ光を複数のレーザ光（ビーム）に分けるグレーティング１４と、グレーティング１４を通るレーザ光を適度な発散角度で発散させるカップリングレンズ１６と、カップリングレンズ１６を透過したレーザ光を２方向に分割するビームスプリッタ１８とを備え、ビームスプリッタ１８で分割された一方のレーザ光、すなわちビームスプリッタ１８で反射されたレーザ光を対物レンズ２２によって所要のビームスポットに絞り、ＣＤ−Ｒ（Ｃｏｍｐａｃｔ  Ｄｉｓｃ−Ｒｅｃｏｒｄａｂｌｅ）／ＲＷ（Ｒｅｗｒｉｔａｂｌｅ）や、ＤＶＤ−Ｒ（Ｄｅｇｉｔａｌ  Ｖｅｒｓａｔｉｌｅ  Ｄｉｓｃ−Ｒｅｃｏｒｄａｂｌｅ）／ＲＷ（Ｒｅｗｒｉｔａｂｌｅ）等の光ディスク２０に照射し情報の記録または再生を行う。
カップリングレンズ１６、ビームスプリッタ１８、対物レンズ２２等により特許請求の範囲の光学系が構成されている。
【００１７】
光ディスク２０に照射した光は記録面で反射され、戻り光は対物レンズ２２を通りビームスプリッタ１８を透過し、ＲＦ信号やサーボ信号を生成する読み取り信号検出用のフォトディテクタ（以下、ＰＤＩＣと称する）２４にて受光する。
ＰＤＩＣ２４の受光面は、図２に示すように、中央に縦横等分に４つに分割された中央の受光面Ａ、Ｂ、Ｃ、Ｄと、その中央の図示右横に横２列の受光面Ｅ、Ｆと、その中央の図示左横に横２列の受光面Ｇ、Ｈとを備えてなる。
【００１８】
また、光ディスク装置１０は、光源１２から出射された光ビームのうち、ビームスプリッタ１８で分割された他方の光ビーム、すなわちビームスプリッタ１８を通過した光ビーム（以下検出用光ビームという）を受光して、光源１２からのレーザ光のパワーをモニタし当該パワーを制御するためのパワーモニタ用信号を生成するパワー制御用のフォトディテクタ（受光手段、以下、ＦＰＤと称する）２６を備える。
ＦＰＤ２６の受光面２８は単一の受光面で構成され、図３に示すように、受光面２８は遮光領域３０によって仕切られた複数の分割受光面で構成されており、本実施の形態では４つの分割受光面で構成されている。
本実施の形態では、遮光領域３０は受光面２８の中心位置で交差する２つの帯状の遮光帯３２、３４で構成され、２つの遮光帯３２、２４はほぼ直交している。以下では、一方の遮光帯３２が延在する方向をＸ軸方向、他方の遮光帯３４が延在する方向をＹ軸方向とする。
そして、検出用光ビームにより受光面２８上に形成される光スポットの中心位置が受光面２８の中心位置と一致したときに、前記各分割受光面で受けた前記検出用光ビームに基づく前記パワーモニター用信号の和が極小となるように構成されている。
【００１９】
遮光領域３０、すなわち遮光帯３２、３４は、遮光性のある塗料や樹脂層、もしくは金属層乃至金属箔等により構成されるものであり、その製法には、例えば、接着技術、印刷技術、めっき技術、エッチング技術、蒸着技術等の他、任意の技術を用いることができる。
【００２０】
次に、図４（Ａ）、（Ｂ）、（Ｃ）、（Ｄ）、（Ｅ）、および図５を参照し、ＦＰＤ２６の受光面２８にスポット状の検出用光ビームを受光させる際のＸ軸方向からの位置決め動作について説明する。
まず、図４（Ａ）に示すように、ＦＰＤ２６の受光面２８において、遮光帯３２を中心に含む図示左のエッジ側の位置から検出用光ビームをＸ軸に平行の図示右方向に例えば相対的に移し、検出用光ビームの中心が当該エッジの位置（スポット位置Ａ）に至ると、この間、受光面積の増大とともに前記パワーモニター用信号の和、すなわちＦＰＤ２６からの電気出力（以下、ＦＰＤ出力と称する）が上昇しＦＰＤ出力Ｓａ１が得られる。かつその状態で、図４（Ｂ）に示すように、検出用光ビームをＸ軸に平行の図示右方向に例えば相対的に移し、検出用光ビームが受光面２８内にちょうど収まる位置（スポット位置Ｂ）で受光させた場合、図５に示すように、ＦＰＤ２６からのＦＰＤ出力が更に受光面積の増大とともに上昇し、全スポット領域の面積から当該スポット面積内に位置する部分の遮光帯３２の面積を差し引いた実質上の受光量に対応するＦＰＤ出力Ｓａ２が得られる。
【００２１】
続いて、検出用光ビームを更にＸ軸に平行の図示右方向に例えば相対的に移してゆくことで受光面２８の中心位置（スポット位置Ｃ）を中心に検出用光ビームを受光させる場合、図５に示すように、全スポット領域の面積内にＹ軸に平行な遮光帯３４も例えば相対的に進入してくるため、その過程で遮光面積が徐々に増加してＦＰＤ２６からのＦＰＤ出力が徐々に減少し、かつ結果的には全スポット領域内に当該領域内で最長分の遮光帯３２、３４が存在し、この遮光帯３２、３４の面積分遮光されるため、ＦＰＤ２６からＦＰＤ出力Ｓａ２よりも小さいＦＰＤ出力Ｓａ３が得られる。
すなわち、ＦＰＤ出力Ｓａ２が得られた後、最も低下したＦＰＤ出力Ｓａ３、すなわち極小値が得られた場合、受光面２８の中心位置を中心とする検出用光ビームの受光が検出されたことになり、これによりＸ軸方向からの位置決めが確認されることになる。
【００２２】
一方、しかる状態から検出用光ビームをＸ軸に平行の図示右方向へと更に例えば相対的に移してゆくと、全スポット領域からＹ軸に平行な遮光帯３４が徐々に外れてゆくため、ＦＰＤ出力が徐々に上昇し、かつ検出用光ビームがＹ軸に平行な遮光帯３４からちょうど外れた位置（スポット位置Ｄ）に至ると、ＦＰＤ出力は上記ＦＰＤ出力Ｓａ２に等しくなる。
そして、検出用光ビームが更にＸ軸に平行の図示右方向へと例えば相対的に移ってゆき、検出用光ビームの一部が受光面２８の外側に外れる位置（スポット位置Ｅ）に至ってくると、ＦＰＤ２６の受光量が実質的に低減されてくるため、ＦＰＤ２６からのＦＰＤ出力は減少してゆく。
【００２３】
また、図６（Ａ）、（Ｂ）、（Ｃ）、（Ｄ）、（Ｅ）、および図７を参照し、ＦＰＤ２６の受光面２８にスポット状の検出用光ビームを受光させる際のＹ軸方向からの位置決めを行う場合の具体例について説明する。
まず、図６（Ａ）に示すように、ＦＰＤ２６の受光面２８において、遮光帯３４を中心に含む図示上のエッジ側の位置から検出用光ビームをＸ軸に平行の図示右方向に例えば相対的に移し、検出用光ビームの中心が当該エッジの位置（スポット位置Ａ）に至ると、この間、受光面積の増大とともにＦＰＤ２６からのＦＰＤ出力が上昇しＦＰＤ出力Ｓａ１が得られる。かつ図６（Ｂ）に示すように、検出用光ビームをＹ軸に平行の図示下方向に例えば相対的に移し、検出用光ビームを受光面２８内にちょうど収まる位置（スポット位置Ｇ）で受光させた場合、図７に示すように、ＦＰＤ２６からのＦＰＤ出力が上昇し、同じく全スポット領域の面積から当該スポット面積内に位置する部分の遮光帯３４の面積を差し引いた実質上の受光量に対応するＦＰＤ出力Ｓａ２が得られる。
【００２４】
続いて、検出用光ビームを更にＹ軸に平行の図示下方向に例えば相対的に移してゆくことで受光面２８の中心位置（スポット位置Ｈ）を中心に検出用光ビームを受光させる場合、図７に示すように、全スポット領域の面積内にＸ軸に平行な遮光帯３２も例えば相対的に徐々に進入し、その過程でＦＰＤ２６からのＦＰＤ出力が徐々に減少し、かつ結果的には全スポット領域内に当該領域内で最長分の遮光帯３２、３４が存在するため、ＦＰＤ２６から同じくＦＰＤ出力Ｓａ２よりも小さいＦＰＤ出力Ｓａ３が得られる。
すなわち、この場合もＦＰＤ出力Ｓａ２が得られた後、最も低下したＦＰＤ出力Ｓａ３、すなわち狭小値が得られると、受光面２８の中心位置を中心とする検出用光ビームの受光が検出されたことになり、これによりＹ軸方向からの位置決めが確認されることになる。
【００２５】
また、しかる状態から検出用光ビームをＹ軸に平行の図示下方向へと更に例えば相対的に移してゆくと、ＦＰＤ出力が徐々に上昇し、かつ検出用光ビームがＸ軸に平行な遮光帯３２からちょうど外れた位置（スポット位置Ｉ）でＦＰＤ出力は上記ＦＰＤ出力Ｓａ２に等しくなる。
そして、検出用光ビームが更にＹ軸に平行の図示下方向へと例えば相対的に移ってゆき、検出用光ビームの一部が受光面２８の外側に外れる位置（スポット位置Ｊ）に至ってくると、ＦＰＤ２６の受光量が実質的に低減されてくるため、ＦＰＤ２６からのＦＰＤ出力は減少してゆく。
【００２６】
このように本実施の形態によれば、検出用光ビームにより受光面２８上に形成される光スポットの中心位置が受光面２８の中心位置と一致したときに、前記各分割受光面で受けた検出用光ビームに基づく前記パワーモニター用信号の和が極小となるように構成されているので、簡素な構成で受光手段２６の位置決めを行うことができ、これにより受光面２８で検出される検出用光ビームの光量のばらつきをなくすことができる。したがって、従来と違って、演算器等による演算処理を行う必要が全くなく、しかも調整用ボリューム等を備える必要もなく、したがって低コスト化および小型化を図る上で有利となり、かつ、配線パターンをも簡素化し生産性を向上させる上でも有利となる。
【００２７】
なお、受光面２８の中心位置を中心としたスポット状の検出用光ビームの受光を検出するためには、Ｘ軸方向からのアプローチ、およびＹ軸方向からのアプローチの２通りあることになるが、受光面２８に対する検出用光ビームの位置決めには必ずしも受光面２８のエッジ側に対する検出用光ビームの受光（照射）から始める必要はなく、受光面２８の適宜中心位置に近い位置から始めてもよいことは勿論である。
また、本例では２つの遮光帯３２がほぼ直交したものとして説明したが、２つの遮光帯は斜めに交差していてもかまわない。
【００２８】
次に、図８乃至図１１を参照し本発明の第２の実施の形態について説明する。
なお、本実施の形態においては、ＦＰＤ２６の受光面２８上に対し形成する遮光領域４０の構成が相違するのみであり、したがってその他の構成については説明を省略する。
本実施の形態の遮光領域４０は、図８（Ａ）〜（Ｅ）に示すように、受光面２８上を格子状に延在する複数の遮光帯４４、４６で構成され、遮光帯４４、４６によって仕切られた複数の分割受光面は、受光面２８の中心位置に位置する分割受光面の面積が最大となり、該中心位置から離れるほど分割受光面の面積が次第に小さくなるように構成されている。本例では、遮光帯４４が延在する方向をＸ軸方向、遮光帯４６が延在する方向をＹ軸方向という。
したがって、検出用光ビームにより受光面２８上に形成される光スポットの中心位置が受光面２８の中心位置と一致したときに、前記各分割受光面で受けた前記検出用光ビームに基づく前記パワーモニター用信号の和が極大となる。
また、遮光帯４４、４６の材質や製法については第１の実施の形態の場合と基本的に同様である。
【００２９】
次に、図８（Ａ）、（Ｂ）、（Ｃ）、（Ｄ）、（Ｅ）、および図９を参照し、ＦＰＤ２６の受光面２８にスポット状の検出用光ビームを受光させる際のＸ軸方向からの位置決めを行う場合の具体例について説明する。
まず、図８（Ａ）に示すように、ＦＰＤ２６の受光面２８において、例えば図示左のエッジ側の位置のうち受光量が一番大きくなる位置（スポット位置Ａ）に検出用光ビームの受光位置を合わせ、これにより図９に示すようにＦＰＤ出力Ｓｂ１を得た後、更にその状態で、図８（Ｂ）に示すように、検出用光ビームをＸ軸に平行の図示右方向に例えば相対的に移し、検出用光ビームを受光面２８内にちょうど収まる位置（スポット位置Ｂ）で受光させた場合、この間、遮光帯４４、４６の間隔が順次広くなるため、図９に示すように、ＦＰＤ２６からのＦＰＤ出力が受光面積の増大とともに上昇し、全スポット領域の面積から当該スポット面積内に位置する分の長さ面積のＸ軸方向およびＹ軸方向に沿う例えば図示のように２本ずつの遮光帯４４、４６による遮光面積を差し引いた実質上の受光量に対応するＦＰＤ出力Ｓｂ２が得られる。
【００３０】
続いて、検出用光ビームを更にＸ軸に平行の図示右方向に例えば相対的に移してゆくことで、図８（Ｃ）に示すように、受光面２８の中心位置（スポット位置Ｃ）を中心に検出用光ビームを受光させた場合、図９に示すように、この間、受光量の増加に伴いＦＰＤ出力が徐々に上昇した後、中央の分割受光面４２に検出用光ビームが位置するため、図９に示すように、最も高出力であってＦＰＤ出力Ｓｂ２よりも大きなＦＰＤ出力Ｓｂ３、すなわち極大値が得られる。
すなわち、ＦＰＤ出力Ｓｂ１、Ｓｂ２が得られた後、最も上昇したＦＰＤ出力Ｓｂ３が得られた場合、受光面２８の中心位置を中心とする検出用光ビームの受光が検出されたことになり、これによりＸ軸方向からの位置決めが確認されることになる。
【００３１】
一方、しかる状態から検出用光ビームをＸ軸に平行の図示右方向へと更に例えば相対的に移してゆくと、格子状の遮光帯４４、４６の間隔が狭くなって受光面積が減少するため、ＦＰＤ出力が徐々に低下し、かつ検出用光ビームが受光面２８のエッジ位置（スポット位置Ｄ）に至ると、ＦＰＤ出力は上記ＦＰＤ出力Ｓｂ２に等しくなる。
そして、検出用光ビームが更にＸ軸に平行の図示右方向へと例えば相対的に移ってゆき、検出用光ビームの一部が受光面２８の外側に外れる位置（スポット位置Ｅ）に至ってくると、ＦＰＤ２６の受光量が実質的に低減されてくるため、ＦＰＤ２６からのＦＰＤ出力は減少してゆく。
【００３２】
また、図１０（Ａ）、（Ｂ）、（Ｃ）、（Ｄ）、（Ｅ）、および図１１を参照し、ＦＰＤ２６の受光面２８にスポット状の検出用光ビームを受光させる際のＹ軸方向からの位置決めを行う場合の具体例について説明する。
まず、図１０（Ａ）に示すように、ＦＰＤ２６の受光面２８において、例えば受光面２８の図示上のエッジ側の位置のうち受光量が一番大きくなる位置（スポット位置Ｆ）に検出用光ビームの受光位置を合わせ、これにより図１１に示すようにＦＰＤ出力Ｓｂ１を得た後、更にその状態で、図１０（Ｂ）に示すように、検出用光ビームをＹ軸に平行の図示下方向に例えば相対的に移し、検出用光ビームを受光面２８内にちょうど収まる位置（スポット位置Ｇ）で受光させた場合、図１１に示すように、ＦＰＤ２６からのＦＰＤ出力が受光面積の増大とともに上昇し、全スポットの領域の面積から当該スポット面積内に位置する分の長さ面積のＸ軸方向およびＹ軸方向に沿う２本ずつの遮光帯４４、４６による遮光面積を差し引いた実質上の受光量に対応するＦＰＤ出力Ｓｂ２が得られる。
【００３３】
続いて、検出用光ビームを更にＹ軸に平行の図示下方向に例えば相対的に移してゆくことで、図１０（Ｃ）に示すように、受光面２８の中心位置（スポット位置Ｈ）を中心に検出用光ビームを受光させた場合、図１１に示すように、この間、受光面積の実質上の増加に伴いＦＰＤ出力が徐々に上昇した後、受光可能の中央の分割受光面４２に検出用光ビームが位置するため、図１１に示すように、受光面２８内で最も高出力であってＦＰＤ出力Ｓｂ２よりも大きなＦＰＤ出力Ｓｂ３、すなわち極大値が得られる。
すなわち、ＦＰＤ出力Ｓｂ１、Ｓｂ２が得られた後、最も上昇したＦＰＤ出力Ｓｂ３が得られた場合、受光面２８の中心位置を中心とする検出用光ビームの受光が検出されたことになり、これによりＹ軸方向からの位置決めが確認されることになる。
【００３４】
また、しかる状態から検出用光ビームをＹ軸に平行の図示下方向へと更に例えば相対的に移してゆくと、格子状の遮光帯４４、４６の間隔が狭くなって受光面積が減少するため、ＦＰＤ出力が徐々に低下し、かつ検出用光ビームの周囲が受光面２８のエッジ位置（スポット位置Ｉ）に至ると、ＦＰＤ出力は上記ＦＰＤ出力Ｓｂ２に等しくなる。
そして、検出用光ビームが更にＸ軸に平行の図示右方向へと例えば相対的に移ってゆき、検出用光ビームの一部が受光面２８の外側に外れる位置（スポット位置Ｊ）に至ってくると、ＦＰＤ２６の受光量が実質的に低減されてくるため、ＦＰＤ２６からのＦＰＤ出力は減少してゆく。
【００３５】
このように本実施の形態によれば、検出用光ビームにより受光面２８上に形成される光スポットの中心位置が受光面２８の中心位置と一致したときに、前記各分割受光面で受けた検出用光ビームに基づく前記パワーモニター用信号の和が極大となるように構成されているので、第１の実施の形態と同様の効果を得ることができる。
【００３６】
なお、受光面２８に対する検出用光ビームの位置決めには必ずしも受光面２８のエッジ側からの検出用光ビームの受光（照射）から始める必要はなく、受光面２８の適宜中心位置に近い位置から始めてもよいことは勿論である。
また、位置決めの際にはＦＰＤ２６を適宜ＸＹ方向に移動させ得る例えば治具等を用いて対応してもよい。
【００３７】
ところで、遮光領域の構成は、上述の構成に限定されるものではなく、図１２に示すように、遮光領域が受光面２８の中心位置を中心として延在する同心円状に延在する複数の環状の遮光帯５２によって構成され、隣り合う遮光帯５２間における径方向の間隔は遮光帯５２の径が大きくなるにつれて次第に狭くなるように構成されていても同様の効果を得ることができる。
また、受光面２８は複数の分割受光面に仕切られている必要はなく、受光手段の受光面２８を単一の受光面で構成し、受光面２８上に所定形状の遮光領域を設けることにより、検出用光ビームにより受光面２８上に形成される光スポットの中心位置が前記受光面２８の中心位置と一致したときに、前記受光面２８で受けた前記検出用光ビームに基づく前記パワーモニター用信号が極小または極大となるように構成されていても同様の効果を得ることができる。
例えば、図１３に示すように、受光面２８上の全領域よりも小さいスポット状の検出用光ビームを受光する際に、受光面２８の中心位置を中心とする検出用光ビームの受光量を最大にすべく、受光面２８の中心側に所要面積分の中央の非遮光領域５４を有するとともに、中央の非遮光領域５４から例えば所要角度の斜め外方の方向毎に鋭角に延びて先端にゆくほど非遮光面積が小さくなるという鋭角非遮光領域５６を有し、受光面２８上において存在する他の部分を遮光領域５８とする形状を含めた構成でもよい。
また、他の例として、図１４に示すように、受光面２８の中心側から９０°毎の４箇所に当該中心側から先端に延びるほど非遮光領域が広がる概ね逆三角形状の逆三角非遮光領域６２を有するとともに、受光面２８上において存在する他の部分を遮光領域６４とする形状を含めた構成でもよい。
また、図１３および図１４に示した遮光領域は、図示の形状内を遮光領域とする逆の構成を採用しても精度よく位置決めを行うことができる。
一方、遮光領域のパターンまたは形状については、受光面２８上の全領域よりも小さいスポット状の検出用光ビームを受光する際に、受光面２８の中心位置を中心とする検出用光ビームの受光量を最小または最大にすべく、上述の他の構成として、種々他の任意のパターンまたは形状のものを考えることは容易であり、それらの構成も本発明の技術的思想に含まれることは勿論である。
【００３８】
【発明の効果】
本発明の光ピックアップおよび光ディスク装置によれば、簡素な構成で受光手段の位置決めを行うことができ、これにより受光面で検出される検出用光ビームの光量のばらつきをなくすことができる。したがって、従来と違って、演算器等による演算処理を行う必要が全くなく、しかも調整用ボリューム等を備える必要もなく、したがって低コスト化および小型化を図る上で有利となり、かつ、配線パターンをも簡素化し生産性を向上させる上でも有利となる。
【図面の簡単な説明】
【図１】本発明の第１の実施の形態に係わる光ディスク装置の主要部の構成を説明する説明図である。
【図２】上記第１の実施の形態に係わる光ディスク装置に使用するＰＤＩＣの受光面の構成を説明する説明図である。
【図３】上記第１の実施の形態に係わる光ディスク装置に使用するパワー制御用のＦＰＤの受光面の構成を説明する説明図である。
【図４】上記第１の実施の形態における上記ＦＰＤの受光面にスポット状の検出用光ビームを受光させる際にＸ軸方向からの位置決めを行う場合の具体例を説明する説明図であり、（Ａ）は初期段階、（Ｂ）は第２段階、（Ｃ）は位置決め検出段階、（Ｄ）は位置決め後の出力特性確認段階、（Ｅ）は位置決め後の最終の出力特性確認段階を示す。
【図５】上記第１の実施の形態における上記ＦＰＤの受光面にスポット状の検出用光ビームを受光させ、Ｘ軸方向から位置決めを行う場合のＦＰＤ出力の出力特性を示すグラフである。
【図６】上記第１の実施の形態における上記ＦＰＤの受光面にスポット状の検出用光ビームを受光させる際にＹ軸方向からの位置決めを行う場合の具体例を説明する説明図であり、（Ａ）は初期段階、（Ｂ）は第２段階、（Ｃ）は位置決め検出段階、（Ｄ）は位置決め後の出力特性確認段階、（Ｅ）は位置決め後の最終の出力特性確認段階を示す。
【図７】上記第１の実施の形態における上記ＦＰＤの受光面にスポット状の検出用光ビームを受光させ、Ｙ軸方向から位置決めを行う場合のＦＰＤ出力の出力特性を示すグラフである。
【図８】本発明の第２の実施の形態における上記ＦＰＤの受光面の構成、および当該受光面にスポット状の検出用光ビームを受光させる際にＸ軸方向からの位置決めを行う場合の具体例を説明する説明図であり、（Ａ）は初期段階、（Ｂ）は第２段階、（Ｃ）は位置決め検出段階、（Ｄ）は位置決め後の出力特性確認段階、（Ｅ）は位置決め後の最終の出力特性確認段階を示す。
【図９】上記第２の実施の形態における上記ＦＰＤの受光面にスポット状の検出用光ビームを受光させ、Ｘ軸方向から位置決めを行う場合のＦＰＤ出力の出力特性を示すグラフである。
【図１０】上記第２の実施の形態における上記ＦＰＤの受光面にスポット状の検出用光ビームを受光させ、Ｙ軸方向から位置決めを行う場合の具体例を説明する説明図であり、（Ａ）は初期段階、（Ｂ）は第２段階、（Ｃ）は位置決め検出段階、（Ｄ）は位置決め後の出力特性確認段階、（Ｅ）は位置決め後の最終の出力特性確認段階を示す。
【図１１】上記第２の実施の形態における上記ＦＰＤの受光面にスポット状の検出用光ビームを受光させ、Ｙ軸方向から位置決めを行う場合のＦＰＤ出力の出力特性を示すグラフである。
【図１２】上記ＦＰＤの受光面に形成する遮光領域の他の構成例を説明する説明図である。
【図１３】上記ＦＰＤの受光面に形成する遮光領域の更に他の構成例を説明する説明図である。
【図１４】上記ＦＰＤの受光面に形成する遮光領域の更に他の構成例を説明する説明図である。
【図１５】従来のＰＤＩＣの受光面の構成を説明する説明図である。
【図１６】従来のＰＤＩＣの出力特性を説明するグラフである。
【符号の説明】
１０……光ディスク装置（光ピックアップ）、１２……光源、１４……グレーティング、１６……カップリングレンズ、１８……ビームスプリッタ、２０……光ディスク、２２……対物レンズ、２４……ＰＤＩＣ、２６……ＦＰＤ、２８……受光面、３０……遮光領域、３２、３４……遮光帯、４０……遮光領域、４２……中央の分割受光面、４４、４６……遮光帯、５２……遮光帯、５４……非遮光領域、５６……鋭角非遮光領域、５８……遮光領域、６２……逆三角非遮光領域、６４……遮光領域。
【図１】
2005032334.tif 000003
【図２】
2005032334.tif 000004
【図３】
2005032334.tif 000005
【図４】
2005032334.tif 000006
【図５】
2005032334.tif 000007
【図６】
2005032334.tif 000008
【図７】
2005032334.tif 000009
【図８】
2005032334.tif 000010
【図９】
2005032334.tif 000011
【図１０】
2005032334.tif 000012
【図１１】
2005032334.tif 000013
【図１２】
2005032334.tif 000014
【図１３】
2005032334.tif 000015
【図１４】
2005032334.tif 000016
【図１５】
2005032334.tif 000017
【図１６】
2005032334.tif 000018